【手続補正書】
【提出日】平成20年5月23日(2008.5.23)
【手続補正１】
【補正対象書類名】特許請求の範囲
【補正対象項目名】全文
【補正方法】変更
【補正の内容】
【特許請求の範囲】
【請求項１】
複数の発光部を有する光源手段と、前記複数の発光部から出射した複数の光束を反射する光偏向器と、前記複数の発光部から出射した複数の光束を前記光偏向器の偏向面に前記偏向面の主走査方向の幅より広い状態で入射させる入射光学系と、前記光偏向器の偏向面で反射された複数の光束を被走査面上に結像させる結像光学系と、前記複数の発光部に対して発光光量を各々独立して制御する制御手段と、を有するマルチビーム光走査装置において、
前記制御手段は、前記被走査面上での前記複数の光束の照度が像高に応じて線形的又は非線形的に変化するように、前記複数の発光部に対して発光光量を各々独立して制御することを特徴とするマルチビーム光走査装置。
【請求項２】
複数の発光部を有する光源手段と、前記複数の発光部から出射した複数の光束を反射する光偏向器と、前記複数の発光部から出射した複数の光束を前記光偏向器の偏向面に前記偏向面の主走査方向の幅より広い状態で入射させる入射光学系と、前記光偏向器の偏向面で反射された複数の光束を被走査面上に結像させる結像光学系と、前記複数の発光部に対して発光光量を各々独立して制御する制御手段と、を有するマルチビーム光走査装置において、
前記被走査面上の全像高において、前記制御手段にて前記複数の光束の照度を同一にするように前記複数の発光部に対して発光光量を各々独立して制御する場合、
前記制御手段は、最大走査角における前記複数の発光部間の発光光量を異ならせていることを特徴とするマルチビーム光走査装置。
【請求項３】
複数の発光部を有する光源手段と、前記複数の発光部から出射した複数の光束を反射する光偏向器と、前記複数の発光部から出射した複数の光束を前記光偏向器の偏向面に前記偏向面の主走査方向の幅より広い状態で入射させる入射光学系と、前記光偏向器の偏向面で反射された複数の光束を被走査面上に結像させる結像光学系と、前記複数の発光部に対して発光光量を各々独立して制御する制御手段と、を有するマルチビーム光走査装置において、
前記被走査面上の全像高において、前記制御手段にて前記複数の光束の照度を同一にするように前記複数の発光部に対して発光光量を各々独立して制御する場合、
前記制御手段は、走査角全域の一部領域において同一走査角における前記複数の発光部間の発光光量を異ならせていることを特徴とするマルチビーム光走査装置。
【請求項４】
前記制御手段は、前記被走査面上での前記複数の光束の照度が像高に応じて線形的に変化するように、前記複数の発光部に対して発光光量を各々制御することを特徴とする請求項２又は３に記載のマルチビーム光走査装置。
【請求項５】
前記制御手段は、前記被走査面上での前記複数の光束の照度が像高に応じて非線形的に変化するように、前記複数の発光部に対して発光光量を各々制御することを特徴とする請求項２又は３に記載のマルチビーム光走査装置。
【請求項６】
前記被走査面上における一走査線中の照度分布を補正する照度分布補償用光学素子を前記光源手段と前記被走査面の間の光路中に備え、
前記照度分布補償用光学素子は前記被走査面上での走査線の照度を主走査方向に沿って中心部から端部に向かうに従って増加させるように補償していることを特徴とする請求項１乃至５の何れか１項に記載のマルチビーム光走査装置。
【請求項７】
前記光偏向器の偏向面上において主走査断面内における前記複数の発光部から出射される各々の光束の光強度が最大となる位置を調整する調整手段を有し、
前記調整手段により、前記偏向面上において主走査断面内における前記複数の発光部から出射される各々の光束の光強度が最大となる位置と前記被走査面において主走査断面内における有効走査域の中心位置との間隔が互いに等しくなるように調整されていることを特徴とする請求項１乃至６の何れか１項に記載のマルチビーム光走査装置。
【請求項８】
前記光偏向器の偏向面上において主走査断面内における前記複数の発光部から出射される各々の光束の光強度が最大となる位置を調整する調整手段を有し、
前記調整手段により、前記偏向面上において主走査断面内における前記複数の発光部のうち１つ以上の発光部から出射される光束の光強度が最大となる位置と前記被走査面において主走査断面内における有効走査域の中心位置が一致するように調整されていることを特徴とする請求項１乃至６の何れか１項に記載のマルチビーム光走査装置。
【請求項９】
前記複数の発光部は主走査方向及び副走査方向に離間していることを特徴とする請求項１乃至８の何れか１項に記載のマルチビーム光走査装置。
【請求項１０】
前記複数の発光部は副走査方向にのみ離間していることを特徴とする請求項１乃至８の何れか１項に記載のマルチビーム光走査装置。
【請求項１１】
請求項１乃至１０の何れか１項に記載のマルチビーム光走査装置と、前記被走査面に配置された感光体と、前記マルチビーム光走査装置で走査された光ビームによって前記感光体の上に形成された静電潜像をトナー像として現像する現像器と、現像されたトナー像を被転写材に転写する転写器と、転写されたトナー像を被転写材に定着させる定着器とを有することを特徴とする画像形成装置。
【請求項１２】
請求項９又は１０に記載のマルチビーム光走査装置と、外部機器から入力したコードデータを画像信号に変換して前記マルチビーム光走査装置に入力せしめるプリンタコントローラとを有していることを特徴とする画像形成装置。
【請求項１３】
各々が請求項１乃至１０の何れか１項に記載のマルチビーム光走査装置の被走査面に配置され、互いに異なった色の画像を形成する複数の像担持体とを有することを特徴とするカラー画像形成装置。
【請求項１４】
外部機器から入力した色信号を異なった色の画像データに変換して各々のマルチビーム光走査装置に入力せしめるプリンタコントローラを有していることを特徴とする請求項１３に記載のカラー画像形成装置。
【手続補正２】
【補正対象書類名】明細書
【補正対象項目名】００２７
【補正方法】変更
【補正の内容】
【００２７】
請求項１の発明のマルチビーム光走査装置は、複数の発光部を有する光源手段と、前記複数の発光部から出射した複数の光束を反射する光偏向器と、前記複数の発光部から出射した複数の光束を前記光偏向器の偏向面に前記偏向面の主走査方向の幅より広い状態で入射させる入射光学系と、前記光偏向器の偏向面で反射された複数の光束を被走査面上に結像させる結像光学系と、前記複数の発光部に対して発光光量を各々独立して制御する制御手段と、を有するマルチビーム光走査装置において、
前記制御手段は、前記被走査面上での前記複数の光束の照度が像高に応じて線形的又は非線形的に変化するように、前記複数の発光部に対して発光光量を各々独立して制御することを特徴としている。
【手続補正３】
【補正対象書類名】明細書
【補正対象項目名】００２８
【補正方法】変更
【補正の内容】
【００２８】
請求項２の発明のマルチビーム光走査装置は、複数の発光部を有する光源手段と、前記複数の発光部から出射した複数の光束を反射する光偏向器と、前記複数の発光部から出射した複数の光束を前記光偏向器の偏向面に前記偏向面の主走査方向の幅より広い状態で入射させる入射光学系と、前記光偏向器の偏向面で反射された複数の光束を被走査面上に結像させる結像光学系と、前記複数の発光部に対して発光光量を各々独立して制御する制御手段と、を有するマルチビーム光走査装置において、
前記被走査面上の全像高において、前記制御手段にて前記複数の光束の照度を同一にするように前記複数の発光部に対して発光光量を各々独立して制御する場合、
前記制御手段は、最大走査角における前記複数の発光部間の発光光量を異ならせていることを特徴としている。
【手続補正４】
【補正対象書類名】明細書
【補正対象項目名】００２９
【補正方法】変更
【補正の内容】
【００２９】
請求項３の発明のマルチビーム光走査装置は、複数の発光部を有する光源手段と、前記複数の発光部から出射した複数の光束を反射する光偏向器と、前記複数の発光部から出射した複数の光束を前記光偏向器の偏向面に前記偏向面の主走査方向の幅より広い状態で入射させる入射光学系と、前記光偏向器の偏向面で反射された複数の光束を被走査面上に結像させる結像光学系と、前記複数の発光部に対して発光光量を各々独立して制御する制御手段と、を有するマルチビーム光走査装置において、
前記被走査面上の全像高において、前記制御手段にて前記複数の光束の照度を同一にするように前記複数の発光部に対して発光光量を各々独立して制御する場合、
前記制御手段は、走査角全域の一部領域において同一走査角における前記複数の発光部間の発光光量を異ならせていることを特徴としている。
【手続補正５】
【補正対象書類名】明細書
【補正対象項目名】００８１
【補正方法】変更
【補正の内容】
【００８１】
本実施例において前述の実施例１と異なる点は、
(1)被走査面上における一走査線中の光量落ちを補償する照度分布補償用光学素子（光量落ち補償手段）としてアパーチャ（開口絞り）３´を光路中に用いた点、
(2)偏向面上においてＡ、Ｂレーザ（発光部）14a,14bから出射される各々の光束の光強度が最大となる位置と、被走査面における有効走査域の中心位置との間隔とが互いに等しくなるように調整する調整手段を設けた点、
(3)Ａ、Ｂレーザの両方のレーザの発光光量を各々独立して像高(走査角)に応じて変化できるように制御手段により制御している点、
である。その他の構成及び光学的作用は実施例１と同一であり、これにより同様な効果を得ている。
【手続補正６】
【補正対象書類名】明細書
【補正対象項目名】０１３９
【補正方法】変更
【補正の内容】
【０１３９】
以上のようにして、未定着トナー像を転写された用紙１１２はさらに感光ドラム１０１後方（図１９において左側）の定着器へと搬送される。定着器は内部に定着ヒータ（図示せず）を有する定着ローラ（転写器）１１３とこの定着ローラ１１３に圧接するように配設された加圧ローラ１１４とで構成されており、転写部から搬送されてきた用紙１１２を定着ローラ１１３と加圧ローラ１１４の圧接部にて加圧しながら加熱することにより用紙１１２上の未定着トナー像を定着せしめる。更に定着ローラ１１３の後方には排紙ローラ１１６が配設されており、定着された用紙１１２を画像形成装置の外に排出せしめる。